(57)【要約】  【課題】  ＣＤ−Ｒに記録する曲名情報を、ファイナライズ以前であれば何時でも入力できるようにする。  【解決手段】  レコーダに挿入したＣＤ−ＲにＩＤを付し、ＰＭＡ及びメモリに書き込む。ＣＤ−ＲのＰＧＡにオーディオ信号を記録する。テキストデータで入力された曲名情報などを、ＩＤと対応付けてメモリに記憶する。ファイナライズ時、メモリからテキストデータを読み出し、ＴＯＣ情報としてＣＤ−Ｒのリードインに書き込む。ファイナライズしないでＣＤ−Ｒを排出する場合、ＰＭＡにトラック番号、開始及び終了時間を記録する。ＩＤ及びテキストデータをメモリに保持し、次にそのＣＤ−Ｒが挿入された際に、ＩＤに基づきメモリから読み出し可能とする。ファイナライズ以前であれば、ＣＤ−Ｒが一旦排出され再び挿入された場合であっても、ＴＯＣ情報として記録するテキストデータを、何時でも入力できる。【選択図】  図５
2005190662.tif 000002
【特許請求の範囲】
【請求項１】
プログラムを記録可能な記録領域と記録領域に記録されたプログラムを管理する管理情報が記録される管理領域を備えた記録媒体へのデータの記録および該記録媒体からのデータの再生を行う記録再生装置において、
記録を行う際に上記管理領域に記録媒体固有の識別子と上記記録領域にプログラムを記録する記録手段と、
ユーザ操作に応じて、上記記録媒体の記録領域に記録されるプログラムに関する情報を入力する操作手段と、
上記記録媒体固有の識別子と上記操作手段により入力された上記記録領域に記録されるプログラムに関する情報を対応付けて保持するメモリ手段と、
上記管理領域の管理情報が更新される前に上記記録媒体が一旦排出された後に挿入された記録媒体の上記管理領域の識別子を再生する再生手段と、
上記再生手段にて再生された識別子と上記メモリ手段に保持されている識別子とを比較する比較手段と、
上記管理領域の管理情報の更新を指示する入力に応じて、上記比較手段により検出された、上記再生手段にて再生された識別子と一致する上記メモリ手段に保持されている識別子に対応されて記録されるプログラムに関する情報を上記管理領域に管理情報として記録するように上記記録手段を制御する制御手段と
を備え、
上記操作手段により、上記管理領域の管理情報が更新される前の記録媒体が排出される前に第１の情報、及び、再び挿入された後に第２の情報が入力されたとき、上記制御手段は、上記管理領域の管理情報の更新を指示する入力に応じて、上記第１の情報及び上記第２の情報を、上記管理領域に管理情報として記録するように上記記録手段を制御する
ことを特徴とする記録再生装置。
【請求項２】
請求項１に記載の記録再生装置において、
上記比較手段において、上記再生手段にて再生された識別子と上記メモリ手段に保持されている識別子とが一致した場合に上記メモリ手段に上記記録媒体固有の識別子と対応されて記録されるプログラムに関する情報を表示する表示手段をさらに備えてなることを特徴とする記録再生装置。
【請求項３】
請求項１に記載の記録再生装置において、
上記記管理領域の管理情報が更新される前の記録媒体が挿入されていないとき、上記メモリ手段に保持されている上記プログラムに関する情報を、上記操作手段に対する操作に応じて順次表示するようにしたことを特徴とする記録再生装置。
【発明の詳細な説明】
【技術分野】
【０００１】
この発明は、ＣＤ−Ｒ(Compact Disc-Recordable)に、ＣＤ−ＤＡ(CD-Digital Audio)に準拠してオーディオデータを記録し、ＣＤ−ＴＥＸＴのフォーマットで曲名を記録するようにした記録再生装置に関する。
【背景技術】
【０００２】
近年では、従来のＣＤ(Compact Disc)と特性上での互換性を有し、データを記録可能とされた、ＣＤ−Ｒ(Compact Disc-Recordable)の普及が著しい。ＣＤ−Ｒでは、反射面の上に例えば色素層を設け、レーザ照射により色素を変質させてピットを形成することで、データの記録を行う。
【０００３】
なお、相変化記録方式を用い、データの上書きによる書き換えが可能とされた、ＣＤ−ＲＷ(CD-Rewritable)と称される記録媒体も普及しつつある。以下では、ＣＤ−Ｒの例を中心に説明する。
【０００４】
ＣＤおよびＣＤ−Ｒに共通するデータのレイアウトについて、ＣＤの例で概略的に説明する。ＣＤは、内周側からアクセスされ、内周側からリードイン、データ、リードアウトの順にデータ領域が配列される。データ部の単位が１トラックと呼ばれる。例えば、オーディオデータが記録されたＣＤ−ＤＡ(CD-Digital Audio)では、１曲毎が１トラックとなる。リードイン、データ、リードアウトの組み合わせでセッションが構成される。
【０００５】
リードイン領域には、このＣＤの内容を示す情報が格納されるＴＯＣ(Table Of Contents)が記録される。ＴＯＣに記録されるＴＯＣ情報は、例えばＣＤ−ＤＡの場合、そのＣＤに記録されている曲数やトラックの開始位置情報などからなる。
【０００６】
ＣＤ−Ｒに特有な構造として、上述の色素層の存在の他に、記録不可である一般のＣＤにおいてデータが記録されている領域よりもさらに内側に、ＰＣＡ(Power Calibration Area)およびＰＭＡ(Program Memory Area)の２つの領域が設けられている。ＰＣＡは、データをＣＤ−Ｒに書き込むときのレーザの強さを調整するために試し書きを行う領域である。ＰＭＡは、後述するトラックアットワンスなどでデータを書き込む際に、書き込まれたトラックの先頭と末尾のアドレス情報を書き込む領域である。
【０００７】
また、ＣＤ−Ｒには、ガイド用の溝であるプリグルーブが設けられる。プリグルーブは、僅かに蛇行（ウォブル）しており、記録時のアドレスとして用いられる。これは、ＡＴＩＰ(Absolute Time In Pregroove)と称される。
【０００８】
ＣＤ−Ｒにオーディオデータを書き込む際の記録方法としては、リードイン、データ、リードアウトからなる１セッションを１つのディスクに一度に書き込んでしまうディスクアットワンス(Disk At Once)と、データを１トラックずつディスクに書き込んでいくトラックアットワンス(Track At Once)の２つがある。トラックアットワンスでは、リードアウトおよびリードインがデータの後に書き込まれるので、リードアウトおよびリードインを書き込んでセッションを閉じるまでは、データの追記を行うことができる。
【０００９】
トラックアットワンスにおける書き込みは、概略的には次のようにしてなされる。１番目のトラックのデータの書き込みが終了されると、ＡＴＩＰ情報に基づき、取得された記録開始および終了時間がトラック番号ＴＮＯと共にＰＭＡに書き込まれる。１番目のトラックの次に２番目のトラックが書き込まれた際にも、同様にして記録開始および終了時間がトラック番号ＴＮＯと共にＰＭＡに書き込まれる。このようにして全てのトラックの書き込みが終了したら、リードアウトが書き込まれ、続けて、ＰＭＡに書き込まれた情報に基づきＴＯＣ情報が作成され、リードインが書き込まれる。トラックアットワンスにおいて、リードアウトを書き込むと共に、ＰＭＡの情報に基づきＴＯＣ情報を作成しリードインを書き込む処理を、ファイナライズと称する。
【発明の開示】
【発明が解決しようとする課題】
【００１０】
ところで、このようなＣＤ−Ｒにオーディオデータを容易に書き込めるようにしたオーディオＣＤレコーダが普及しつつある。オーディオＣＤレコーダにおいては、オーディオデータと共に、ＣＤ−ＴＥＸＴフォーマットに準じて曲名情報を記録することができる。このとき、曲名情報は、ＴＯＣ領域に記録される。また、オーディオＣＤレコーダでは、オーディオデータが上述したトラックアットワンスによりトラック毎にＣＤ−Ｒに記録されるのが一般的である。記録すべき全てのオーディオデータがＣＤ−Ｒに記録されると、ファイナライズが行われ、ＴＯＣ情報がリードイン領域に書き込まれる。
【００１１】
そのため、従来では、曲名情報をＣＤ−Ｒに記録するためには、ファイナライズ処理の直前に、曲名情報を入力しなければならなかった。すなわち、従来では、曲名情報を入力できるタイミングが限られていたという問題点があった。
【００１２】
また、あるトラックまで記録が終わった状態で、ファイナライズが未だ行われていないＣＤ−ＲをオーディオＣＤレコーダから取り出し、取り出されたＣＤ−Ｒを再びオーディオＣＤレコーダに再ローディングし、オーディオデータを追記するような場合が考えられる。従来では、このような場合に、追記前、すなわち、オーディオＣＤレコーダから取り出される前の、ＣＤ−Ｒに記録された曲名が分からなかった。このため、ユーザは、記録済みの曲名を記憶しておかなければならないという問題点があった。
【００１３】
このように、従来技術による、ＣＤ−Ｒにオーディオデータと曲名情報とを記録するオーディオＣＤレコーダは、ユーザにとって使い勝手が悪く、誤操作を招くおそれもあるという問題点があった。
【００１４】
したがって、この発明の目的は、ＣＤ−Ｒにオーディオデータと曲名情報とを記録する際に、曲名情報を入力するタイミングがファイナライズ直前に制約されないような記録再生装置を提供することにある。
【００１５】
この発明の他の目的は、ファイナライズ前のディスクのテキスト情報を保存することができ、次に当該テキスト情報に対応したディスクがローディングされたときに、そのテキスト情報を読み出すことができるような記録再生装置を提供することにある。
【課題を解決するための手段】
【００１６】
この発明は、プログラムを記録可能な記録領域と記録領域に記録されたプログラムを管理する管理情報が記録される管理領域を備えた記録媒体へのデータの記録および記録媒体からのデータの再生を行う記録再生装置において、記録を行う際に管理領域に記録媒体固有の識別子と記録領域にプログラムを記録する記録手段と、ユーザ操作に応じて、記録媒体の記録領域に記録されるプログラムに関する情報を入力する操作手段と、記録媒体固有の識別子と操作手段により入力された記録領域に記録されるプログラムに関する情報を対応付けて保持するメモリ手段と、管理領域の管理情報が更新される前に記録媒体が一旦排出された後に挿入された記録媒体の管理領域の識別子を再生する再生手段と、再生手段にて再生された識別子とメモリ手段に保持されている識別子とを比較する比較手段と、管理領域の管理情報の更新を指示する入力に応じて、比較手段により検出された、再生手段にて再生された識別子と一致するメモリ手段に保持されている識別子に対応されて記録されるプログラムに関する情報を管理領域に管理情報として記録するように記録手段を制御する制御手段とを備え、操作手段により、管理領域の管理情報が更新される前の記録媒体が排出される前に第１の情報、及び、再び挿入された後に第２の情報が入力されたとき、制御手段は、管理領域の管理情報の更新を指示する入力に応じて、第１の情報及び第２の情報を、管理領域に管理情報として記録するように記録手段を制御することを特徴とする記録再生装置である。
【００１７】
上述したように、この発明は、記録を行う際に管理領域に記録媒体固有の識別子と記録領域にプログラムを記録する記録手段と、ユーザ操作に応じて、記録媒体の記録領域に記録されるプログラムに関する情報を入力する操作手段と、記録媒体固有の識別子と操作手段により入力された記録領域に記録されるプログラムに関する情報を対応付けて保持するメモリ手段と、管理領域の管理情報が更新される前に記録媒体が一旦排出された後に挿入された記録媒体の管理領域の識別子を再生する再生手段と、再生手段にて再生された識別子とメモリ手段に保持されている識別子とを比較する比較手段と、管理領域の管理情報の更新を指示する入力に応じて、比較手段により検出された、再生手段にて再生された識別子と一致するメモリ手段に保持されている識別子に対応されて記録されるプログラムに関する情報を管理領域に管理情報として記録するように記録手段を制御する制御手段とを備え、操作手段により、管理領域の管理情報が更新される前の記録媒体が排出される前に第１の情報、及び、再び挿入された後に第２の情報が入力されたとき、制御手段は、管理領域の管理情報の更新を指示する入力に応じて、第１の情報及び第２の情報を、管理領域に管理情報として記録するように記録手段を制御するようにしているため、プログラムに関する情報は、たとえ記録媒体を一旦排出し再び挿入した場合であっても、管理情報が記録される以前であれば何時でも入力することができる。
【発明の効果】
【００１８】
以上説明したように、この発明では、プログラムが記録され管理情報の更新が行われていない記録媒体と、当該記録媒体に記録されたプログラムに関して入力された情報とが、識別子によって互いに関連付けられてメモリに記憶されている。
【００１９】
そのため、プログラムに関する情報を管理情報の更新時以外にも入力することができ、また、管理情報の更新を行わずに排出した記録媒体も、次に再び挿入した際に、以前入力したプログラムに関する情報に対して、新たにプログラムに関する情報を追加して入力することができる効果がある。
【００２０】
さらに、管理情報の更新時に、以前入力したプログラムに関する情報と再挿入後に新たに入力されたプログラムに関する情報とを、共に管理情報として記録媒体に記録することができるという効果がある。
【発明を実施するための最良の形態】
【００２１】
以下、この発明の実施の一形態について説明する。先ず、理解を容易とするために、記録可能なＣＤにおける物理フォーマットについて説明する。なお、以下では、記録可能なＣＤがＣＤ−Ｒ(Compact Disc-Recordable)であるものとして説明する。
【００２２】
ＣＤ−Ｒでは、未記録状態（ブランクディスク）でもトラッキングなどの動作が行えるように、グルーブと称されるガイド溝が予め設けられる。グルーブは、ＦＭ変調およびバイフェーズ符号化によりＡＴＩＰと称される時間情報が記録され、僅かに蛇行（ウォブル）している。ＣＤ−Ｒディスクの盤面上は、このＡＴＩＰに基づき各領域が規定される。
【００２３】
また、ＡＴＩＰには、最大記録可能時間、当該ディスクに推奨される記録パワー、ディスクアプリケーションコードなどの情報が予め記録される。
【００２４】
図１は、このように規定された、ＣＤ−Ｒにおける各領域のレイアウトを断面方向から示す。なお、図１では半径分が示されている。図に示されるように、直径略φ１２０のＣＤ−Ｒにおいて、（最大）φ４５乃至（最大）φ４６の範囲に、従来技術で上述したＰＣＡおよびＰＭＡが配される。（最大）φ４６乃至（最大）φ５０がリードイン領域とされ、（最大）φ５０乃至（最大）φ１１６までがデータ記録が可能な記録領域とされる。この記録領域は、ＰＧＡ(Program Area)と称される。リードアウト領域は、その外縁の最大値がφ１１８とされる。
【００２５】
なお、図１において、データが既に記録されている領域が黒帯で例示される。この例では、ＰＣＡおよびＰＭＡ領域の一部、ならびに、データ記録領域の一部に既にデータが記録されていることが分かる。
【００２６】
次に、ＣＤ−Ｒにデータを記録する手順について、概略的に説明する。ＣＤ−Ｒにオーディオデータを書き込む際の記録方法としては、上述したように、ディスクアットワンスと、トラックアットワンスとがある。ディスクアットワンスは、リードイン、データ、リードアウトからなる１セッションが１つのディスクに一度に書き込まれる。ディスクアットワンスでは、ディスクの内周側から外周側へ向けて、リードイン、データ、リードアウトの順で書き込みが行われる。この方法では、データを書き込む際に、記録される全トラック数や格トラックの開始および終了時間などの、ＴＯＣ情報として記録すべき全ての情報が揃っている必要がある。
【００２７】
一方、トラックアットワンスは、データを１トラックずつディスクに書き込んでいく方法である。トラックアットワンスでは、データ、リードアウト、リードインの順で書き込みが行われる。この方法では、リードアウトおよびリードインがデータの後に書き込まれるので、リードアウトおよびリードインを書き込んでセッションを閉じるまでは、データの追記を行うことができる。
【００２８】
トラックアットワンスにおける書き込みのシーケンスについて、概略的に説明する。１番目のトラックのデータ（オーディオデータ）を書き込んだ後、セッションを閉じずに２番目のトラックのオーディオデータを追記することを考える。
【００２９】
先ず、オーディオデータの記録が開始される前に、適正な記録を行うために、ＰＣＡに対してレーザ出力を変化させながら試験的な記録を行い、この結果に基づき、最適なレーザ出力が得られるように調整する。その後、ＰＧＡにオーディオデータが記録される。１番目のトラックのオーディオデータがＰＧＡに書き込まれる。このとき、記録開始時間と終了時間とがＡＴＩＰから読み取られ、読み取られた値が書き込みの終了時にＰＭＡに書き込まれる。次に、２番目のトラックのデータが１番目のトラックの後ろに書き込まれる。２番目のトラックの書き込みが終了すると、ＡＴＩＰから読み取られた２番目のトラックの記録開始時間と終了時間とがＰＭＡに書き込まれる。
【００３０】
なお、１番目および２番目のトラックの間には、所定のリンキングルールと必要に応じてプリギャップなどが置かれる。
【００３１】
このようにして、全てのトラックの書き込みが終了した後にファイナライズ処理が行われる。すなわち、ＰＧＡの外縁からリードアウトが書き込まれ、ＰＭＡに書き込まれた情報に基づきＴＯＣ情報が作成され、ＰＧＡの内周に位置するリードイン領域に書き込まれる。このようにして、ＣＤ−Ｒによるレッドブックに準拠したオーディオＣＤディスクの録音が完了される。
【００３２】
図２は、この発明に適用可能なオーディオＣＤレコーダ１の一例の構成を示す。このオーディオＣＤレコーダ１は、外部から供給されたアナログオーディオ信号をディジタルオーディオ信号に変換し、ＣＤ−ＤＡフォーマットに準拠した形式でＣＤ−Ｒに記録することができる。
【００３３】
記録系において、外部から供給されたアナログオーディオ信号が端子１１０に入力される。このアナログオーディオ信号は、端子１１０からＡ／Ｄ変換器１１１に供給され、ディジタルオーディオ信号に変換され、ＣＤエンコーダ１１２に供給される。また、後述するマイクロコントローラ１２０からＣＤエンコーダ１１２にサブコードデータが供給される。ＣＤエンコーダ１１２において、ディジタルオーディオ信号は、サブコードデータと共に、エラー訂正符号化、ＥＦＭ(Eight to Fourteen Moduration)などの処理が施され、ＣＤ−Ｒ１００に対してＣＤ−ＤＡフォーマットに準拠した記録を行うのに適した信号にエンコードされる。ＣＤエンコーダ１１２の出力は、記録補償部１１３に供給される。
【００３４】
なお、ＣＤエンコーダ１１２では、後述するＲＦアンプ／ＲＦ処理部１０２から供給される再生信号からＡＴＩＰ情報を復号すると共に、再生信号から同期信号を抽出する。ＡＴＩＰ情報および同期信号は、サーボコントローラ１３０に供給される。
【００３５】
記録補償部１１３において、ＣＤエンコーダ１１２の出力に対し、ＥＦＭにより形成されるピットを安定に記録するために、所定にパルス整形処理が施される。記録補償部１１３から出力された記録信号が光学ピックアップ部１０１に供給される。光学ピックアップ部１０１は、対物レンズ１３ａと、図示されないレーザ光源と、ＣＤ−Ｒ１００から反射されたレーザ光を受光する受光部（図示しない）とを備える光学ブロック１３を有する。図示しないが、光学ピックアップ部１０１は、さらに、供給された信号を変調しレーザ光源を駆動するレーザドライバと、受光部に受光されたレーザ光を電気信号に変換する変換部とを有する。
【００３６】
記録時には、レーザ光源のレーザ出力が記録に適する強さに制御され、記録補償部１１３から供給された記録信号に基づきレーザ光源が変調駆動され、変調されたレーザ光がＣＤ−Ｒ１００の記録層に照射される。ＣＤ−Ｒ１００では、照射されたレーザ光により所定にピットが形成され、記録信号の記録が行われる。また、再生時には、レーザ光源のレーザ出力が再生に適する強さに制御され、ＣＤ−Ｒ１００に対してレーザ光が照射される。このレーザ光は、ＣＤ−Ｒ１００で反射され、受光部に受光され、電気信号に変換される。
【００３７】
再生系において、受光部で受光されたレーザ光が電気信号に変換された再生信号が光学ピックアップ部１０１から出力され、ＲＦアンプ／ＲＦ処理部１０２に供給される。再生信号は、ＲＦアンプ／ＲＦ処理部１０２により、所定に波形整形処理などの信号処理を施される。
【００３８】
ＲＦアンプ／ＲＦ処理部１０２から出力された再生信号は、ＣＤデコーダ１０３に供給される。この再生信号は、ＣＤデコーダ１０３で復調されてディジタル信号とされ、さらに、エラー訂正符号が復号化されてエラー訂正される。エラー訂正されたディジタルオーディオ信号は、Ｄ／Ａ変換器１０４に供給され、アナログオーディオ信号に変換され、端子１０５に導出される。
【００３９】
また、ＣＤデコーダ１０３では、再生信号からのサブコードデータの抽出も行われる。抽出されたサブコードデータは、例えばマイクロコントローラ１２０に供給される。
【００４０】
一方、ローディングモータドライブ１３２によりローディングモータ１３１が駆動制御され、ＣＤ−Ｒ１００のローディングおよびアンローディングが制御される。スピンドルモータドライブ１３３によりスピンドルモータ１１が駆動制御され、ＣＤ−Ｒ１００の回転が制御される。また、スレッドモータドライブ１３４によりスレッドモータ１４が駆動制御され、光学ピックアップ部１０１の位置制御がなされ、光学ピックアップ部１０１の送り制御やフォーカストラッキング制御がなされる。
【００４１】
ローディングモータドライブ１３２、スピンドルモータドライブ１３３およびスレッドモータドライブ１３４は、サーボコントローラ１３０により制御される。例えば、記録時は、ＣＤエンコーダ１１２から供給されたＡＴＩＰ情報に基づきスレッドモータドライブ１３４が制御され、アドレス制御がなされる。また、ＣＤエンコーダ１１２から供給された同期信号に基づき、サーボコントローラ１３０によりスピンドルモータドライブ１３３が制御され、スピンドルモータ１１の回転が制御される。図示しないが、サーボコントローラ１３０は、マイクロコントローラ１２０からのコマンドによっても制御される。
【００４２】
マイクロコントローラ１２０は、例えばマイクロプロセッサからなり、このオーディオＣＤレコーダ１の各部の制御を行う。マイクロコントローラ１２０には、不揮発性メモリ１２１、表示部１２２および入力部１２３が接続される。
【００４３】
入力部１２３は、例えば各種キーやダイヤルなどの操作部を有し、ユーザの操作部に対する操作に応じた制御信号を出力する。入力部１２３から出力された制御信号は、マイクロコントローラ１２０に供給され、各種のコマンドやデータが生成される。不揮発性メモリ１２１には、マイクロコントローラ１２０から供給されたデータが記憶される。記憶されたデータは、マイクロコントローラ１２０の指示により読み出され、マイクロコントローラ１２０に供給される。
【００４４】
また、マイクロコントローラ１２０により、このオーディオＣＤレコーダ１の状態や入力部１２３からの制御信号などに基づき表示制御信号が生成される。この表示制御信号は、例えばＬＣＤ(Liquid Crystal Display)からなる表示部１２２に供給され、所定の表示がなさされる。
【００４５】
上述の構成において、未記録のＣＤ−Ｒ１００にオーディオ信号を記録する処理について、概略的に説明する。先ず、ローディングモータドライブ１３２によるローディングモータ１３１の制御により、ＣＤ−Ｒ１００が所定位置に移動され、ＣＤ−Ｒ１００がローディングインされる。ここで、例えばユーザの入力部１２３の操作に基づき、マイクロコントローラ１２０において記録を指示する記録コマンドが出力される。
【００４６】
この記録コマンドにより、サーボコントローラ１３０により各種のサーボが確立される。そして、スレッドモータドライブ１３４により駆動制御されたスレッドモータ１４により、光学ピックアップ部１０１がＣＤ−Ｒ１００のＰＣＡに移動され、キャリブレーション動作が行われる。キャリブレーションは、予めＣＤ−Ｒ１００から読み取られたＡＴＩＰ情報に基づき、当該ＣＤ−Ｒ１００の推奨記録パワー近傍のレーザ出力で行われる。
【００４７】
一方、端子１１０からアナログオーディオ信号が供給され、Ａ／Ｄ変換器１１１でディジタルオーディオ信号に変換され、ＣＤエンコーダ１１２に供給される。そして、このディジタルオーディオ信号は、ＣＤエンコーダ１１２でエラー訂正符号化されＥＦＭされて出力され、記録補償部１１３で波形整形処理などを施されて光学ピックアップ部１０１に供給される。光学ピックアップ部１０１で、供給された信号に基づきレーザ光が変調され、変調されたレーザ光が対物レンズ１３ａを介してＣＤ−Ｒ１００に所定に照射され、ＣＤ−Ｒ１００に対してオーディオデータが記録される。
【００４８】
なお、記録時に、ＣＤエンコーダ１１２からＲＦアンプ／ＲＦ処理部１０２に対して、ＲＦ信号のサンプリングパルスが供給される。ＲＦアンプ／ＲＦ処理部１０２では、供給されたサンプリングパルスに基づき光学ピックアップ部１０１において記録直後のピットが再生された再生信号がモニタされる。このモニタ結果に基づき、周知であるＲｕｎｎｉｎｇ  ＯＰＣ(Running Optimum Power Control)と称される方法を用いて、継続的な記録レーザパワーの微調整が行われる。
【００４９】
記録すべき全てのオーディオデータの記録が終了されると、ファイナライズ処理が行われ、ＣＤ−Ｒ１００がオーディオＣＤレコーダ１より排出されることになる。このとき、必要に応じて、記録されたオーディオデータに関するテキストデータがＣＤ−ＴＥＸＴ情報として入力部１２３より入力される。このテキストデータは、ＣＤエンコーダ１１２に供給されてＴＯＣ情報に格納され、ＣＤエンコーダ１１２および記録補償部１１３で上述したような所定の処理を施され、光学ピックアップ部１０１に供給され、ＣＤ−Ｒ１００のリードイン領域に書き込まれる。
【００５０】
この発明では、オーディオＣＤレコーダ１にローディングインされた未記録のＣＤ−Ｒ１００に対して、ＣＤ−Ｒ１００毎にユニークな識別番号であるディスクＩＤを生成する。生成されたディスクＩＤは、当該ＣＤ−Ｒ１００のＰＭＡに書き込まれると共に、不揮発性メモリ１２１に記憶される。一方、ＴＯＣ領域に記録するためのテキストデータ（ＣＤ−ＴＥＸＴ情報）が入力部１２３から入力されると、そのテキストデータは、そのＣＤ−Ｒ１００を示すディスクＩＤと対応付けられて、不揮発性メモリ１２１に記憶される。
【００５１】
不揮発性メモリ１２１に記憶されたテキストデータは、対応するディスクＩＤのＣＤ−Ｒ１００のファイナライズの際に、不揮発性メモリ１２１から読み出されて当該ＣＤ−Ｒ１００のＴＯＣ領域に書き込まれる。
【００５２】
このようにすることで、テキストデータの入力のタイミングがファイナライズ時に限られることがない。また、ファイナライズを行わないでアンローディングされたＣＤ−Ｒ１００に対しても、そのＣＤ−Ｒ１００が再びローディングされたときに、ＰＭＡに書き込まれたディスクＩＤを読み出し、読み出されたディスクＩＤに対応したテキストデータを不揮発性メモリ１２１から読み出すことで、当該ＣＤ−Ｒ１００のファイナライズ時に、テキストデータをＴＯＣ領域に書き込むことができる。さらに、ＣＤ−Ｒ１００がアンローディングされた後でも、所望のディスクＩＤを指定することで、不揮発性メモリ１２１から対応するテキストデータを読み出し、例えば表示部１２２に表示させることができる。
【００５３】
上述のように、トラックアットワンスなどのように部分的に記録を行った場合に、ＰＭＡにより、暫定的に時間情報が保持される。そして、ファイナライズ時に、このＰＭＡに保持された時間情報に基づきＴＯＣ情報が作成される。すなわち、ＰＭＡに対して、仮ＴＯＣが記録される。このＰＭＡへ仮ＴＯＣの記録は、ＰＭＡのサブコードＱチャンネルに情報をエンコードすることで行われる。トラックアットワンスでの記録において、最大１００回までの追記が許されており、そのときに、このＰＭＡへの仮ＴＯＣ記録が義務付けられている。
【００５４】
この実施の一形態では、ディスクＩＤは、ＰＭＡのサブコードＱチャンネルに書き込まれる。図３は、ＰＭＡのサブコードＱチャンネルの構成を示す。ＰＭＡのサブコードＱチャンネルには、トラック番号ＴＮＯや当該トラックの開始時間および終了時間、データチェックのためのパリティビットの他に、ＡＤＲと称される、どんな種類の情報がＩｔｅｍとして格納されているかを表す値が格納される。
【００５５】
ＰＭＡのサブコードＱチャンネルにＩｔｅｍとして記録可能な情報は、ＡＤＲで区別される下記の６項目とされる。
ＡＤＲ＝１：ＴＯＣ  Ｉｔｅｍ
ＡＤＲ＝２：Ｄｉｓｃ  Ｉｄｅｎｔｉｆｉｃａｔｉｏｎ  Ｉｔｅｍ
ＡＤＲ＝３：Ｓｋｉｐ  Ｔｒａｃｋ  Ｉｔｅｍ
ＡＤＲ＝４：Ｕｎｓｋｉｐ  Ｉｔｅｍ
ＡＤＲ＝５：Ｓｋｉｐ  Ｔｉｍｅ  Ｉｎｔｅｒｖａｌ  Ｉｔｅｍ
ＡＤＲ＝６：Ｕｎｓｋｉｐ  Ｔｉｍｅ  Ｉｎｔｅｒｖａｌ  Ｉｔｅｍ
【００５６】
なお、これらのうち、ＡＤＲ＝１は、上述した仮ＴＯＣ情報であって、必須である。また、ＡＤＲ＝２乃至６は、オプションである。さらに、ＡＤＲ＝４および６は、ＣＤ−ＲＷにおいてはＲｅｓｅｒｖｅｄとされる。これらＡＤＲ＝１乃至６で示される各Ｉｔｅｍは、ＰＭＡの記録容量が許すだけ記録することができる。
【００５７】
この実施の一形態では、上述のＡＤＲの６項目のうち、ＡＤＲ＝２の情報「Ｄｉｓｃ  Ｉｄｅｎｔｉｆｉｃａｔｉｏｎ」が使用される。ＡＤＲ＝２のとき、図３に示されるＭＩＮ、ＳＥＣおよびＦＲＡＭＥには、各ＣＤ−Ｒ１００を特定するディスクＩＤを６桁１０進の数字として書き込むことができる。
【００５８】
図４は、ディスクＩＤが１２とされたＣＤ−ＲにおけるサブコードＱチャンネルの一例のデータを示す。ＡＤＲ＝２（０２）である行に対し、ＭＩＮ、ＳＥＣおよびＦＲＡＭＥを用いてディスクＩＤ「１２（００  ００  １２）」が書き込まれている。
【００５９】
ディスクＩＤは、オーディオＣＤレコーダ１においてＣＤ−Ｒ１００のそれぞれを識別可能な番号である。例えば、６桁でＣＤ−Ｒ１００のそれぞれにユニークなコードをディスクＩＤとして付すことができる。また、所定のインデックスコードと特殊コードとを組み合わせて用いることもできる。さらに、オーディオＣＤレコーダ１固有の番号を機器毎に予め設定し、それと他のコードと組み合わせてディスクＩＤとすることもできる。
【００６０】
なお、ディスクＩＤとして通し番号を用いることも考えられるが、この場合には、この発明が適用されていない他機種のＣＤ−Ｒレコーダに対して当該ＣＤ−Ｒ１００を用いたときに、問題が発生する可能性があるので、好ましくない。
【００６１】
また、この図４の例では、フレーム番号(Frame Number)が１乃至１０にディスクＩＤが書き込まれる。このように、この例の場合、ディスクＩＤは、１０回繰り返して書き込まれる。さらに、フレーム番号１１乃至３０は、ＡＤＲ＝１とされ、トラック１乃至４の開始および終了時間がそれぞれ記録されている。
【００６２】
図５は、この実施の一形態による一例の処理を示すフローチャートである。これは、ＣＤ−Ｒ１００がオーディオＣＤレコーダ１からアンロードされていない場合の例である。先ず、最初のステップＳ１０で、未記録のＣＤ−Ｒ１００がオーディオＣＤレコーダ１に装填されて所定にローディングされて（ローディングイン）、ステップＳ１１で、ローディングインされたＣＤ−Ｒ１００のＰＣＡを用いて書き込み用のレーザ出力のキャリブレーションが行われる。
【００６３】
次のステップＳ１２では、ＰＭＡに対してＡＤＲ＝２のディスクＩＤが記録される。ディスクＩＤは、例えば、マイクロコントローラ１２０において、６桁の数値として自動的に生成される。生成されたディスクＩＤがＣＤエンコーダ１１２に供給され、ＰＭＡのサブコードＱチャンネルにＡＤＲ＝２でエンコードされ、記録補償部１１３を介して光学ピックアップ部１０１に供給され、ＣＤ−Ｒ１００のＰＭＡに記録される。それと共に、マイクロコントローラ１２０で生成されたディスクＩＤは、ステップＳ１３で、不揮発性メモリ１２１にも記憶される。
【００６４】
次のステップＳ１４では、ＰＧＡにオーディオデータが記録される。すなわち、端子１１０から供給されたアナログオーディオ信号がＡ／Ｄ変換器１１１でディジタルオーディオ信号に変換され、ＣＤエンコーダ１１２に供給される。このディジタルオーディオ信号は、ＣＤエンコーダ１１２でエラー訂正符号化されＥＦＭされて出力され、記録補償部１１３で波形整形処理などを施されて光学ピックアップ部１０１に供給される。光学ピックアップ部１０１では、供給された記録信号に基づき変調されたレーザ光がＣＤ−Ｒ１００に照射され、オーディオデータがＣＤ−Ｒ１００に記録される。
【００６５】
一方、ステップＳ１５で、ユーザによりＣＤ−ＴＥＸＴ情報が入力される。例えば、現在端子１１０から入力されているオーディオ信号に関する、曲名などの情報が入力部１２３によりテキストデータとして入力される。入力されたテキストデータは、次のステップＳ１６で、現在オーディオＣＤレコーダ１内にローディングされているＣＤ−Ｒ１００に対して付されたディスクＩＤと関連付けられて、不揮発性メモリ１２１に記憶される。
【００６６】
なお、上述のステップＳ１５によるテキストデータの入力を、トラック番号ＴＮＯ毎に行い、トラック番号ＴＮＯとテキストデータを対応付けて不揮発性メモリ１２１に記憶させることができる。また、アルバムタイトルなども、ディスクＩＤと対応付けて不揮発性メモリ１２１に記憶させることができる。
【００６７】
オーディオ信号のＣＤ−Ｒ１００に対する記録が終了すると、ステップＳ１７で、ファイナライズ処理を行うかどうかが判断される。若し、例えばユーザによる入力部１２３に対する入力によりファイナライズ処理を行うように指示されれば、処理はステップＳ１８に移行する。
【００６８】
ステップＳ１８では、不揮発性メモリ１２１に記憶されたテキストデータが読み出され、ＴＯＣ情報としてＣＤ−Ｒ１００のリードイン領域に書き込まれる。すなわち、不揮発性メモリ１２１に記憶されたテキストデータが読み出され、ＣＤエンコーダ１１２に供給されて、サブコードにエンコードされる。そして、ＣＤエンコーダ１１２および記録補償部１１３で上述したような所定の信号処理を施され、光学ピックアップ部１０１に供給され、ＴＯＣ情報としてＣＤ−Ｒ１００のリードイン領域に書き込まれる。
【００６９】
このとき、必要に応じて、ＴＯＣ情報としてＣＤ−Ｒ１００に書き込まれたテキストデータが不揮発性メモリ１２１から消去される。これはこの例に限らず、テキストデータをある程度の期間、不揮発性メモリ１２１に保持してその後、消去するようにしてもよい。また、ユーザに指示に基づき不揮発性メモリ１２１に記憶されたテキストデータを消去するようにしてもよい。
【００７０】
一方、ステップＳ１７で、ファイナライズ処理を行わない旨が指示されれば、処理はステップＳ１９に移行する。ステップＳ１９では、ＣＤ−Ｒ１００に記録されたトラックのトラック番号ＴＮＯと、そのトラックの開始時間および終了時間の情報とがＰＭＡに書き込まれ、仮ＴＯＣの記録が行われる。
【００７１】
ここで、例えばＣＤ−Ｒ１００をアンロードするような指示が、例えばユーザの入力部１２３に対する入力により指示されると、ローディングモータドライブ１３２によりローディングモータ１３１が駆動制御され、ＣＤ−Ｒ１００がアンローディングアウトされ排出される。
【００７２】
なお、図５のフローチャートにおいて、ステップＳ１４の処理が終了しないうちにステップＳ１５およびＳ１６処理を行うことができる。また、ステップＳ１４と、ステップＳ１５およびＳ１６の処理は、順番が図５と異なってもよい。すなわち、テキストデータを入力してからオーディオデータの記録を行うようにもできる。さらに、現在記録中のオーディオデータ以外の情報を入力することもできる。例えば、当該ＣＤ−Ｒ１００に記録する予定のオーディオデータに関するテキスト情報を、予め全て入力することも可能である。
【００７３】
なお、入力部１２３および表示部１２２の表示は、このような入力を容易に行えるように、例えば表示部１２２の表示を適当なＧＵＩ(Graphical User Interface)などを用いて構成すると、ユーザの操作性が向上され、好ましい。
【００７４】
図６は、ファイナライズされてないディスクがＣＤ−Ｒレコーダから一旦アンローディングされ、そのディスクが後に再びローディングインされた場合の一例の処理を示すフローチャートである。なお、この図６の説明において、上述の図５を用いて既に説明した内容については、詳細な説明を省略する。
【００７５】
最初のステップＳ２０で、既にオーディオデータが記録され１以上のトラックが形成され、且つ、ファイナライズ処理されていないＣＤ−Ｒ１００が、オーディオＣＤレコーダ１に所定にローディングされる。ローディングされたＣＤ−Ｒ１００は、ＰＭＡに、記録済みのトラックのトラック番号ＴＮＯ、開始時間、終了時間が記録されている。また、このＣＤ−Ｒ１００には、上述の図５のフローチャートに示したような方法で、ＰＭＡのＡＤＲ＝２で固有のディスクＩＤが記録されている。
【００７６】
ステップＳ２１で、ローディングされたディスクのＰＣＡを用いて書き込み用のレーザ出力のキャリブレーションが行われる。
【００７７】
ステップＳ２２では、ＣＤ−Ｒ１００上のＰＭＡに記録されているディスクＩＤが読み出されると共に、既に記録されているトラックに関するトラック番号ＴＮＯ、開始時間および終了時間が読み出される。そして、次のステップＳ２３で、マイクロコントローラ１２０により、ステップＳ２２でＣＤ−Ｒ１００のＰＭＡから読み出されたディスクＩＤと、不揮発性メモリ１２１に記憶されているディスクＩＤとが比較される。その結果、ＰＭＡから読み出されたディスクＩＤと一致するディスクＩＤが不揮発性メモリ１２１に記憶されていれば、当該ディスクＩＤに対応するテキストデータが不揮発性メモリ１２１から読み出される。
【００７８】
不揮発性メモリ１２１から読み出されたテキストデータは、マイクロコントローラ１２０に供給される。マイクロコントローラ１２０において、供給されたテキストデータに基づき表示制御信号が生成され、生成された表示制御信号が表示部１２２に供給される。表示部１２２では、供給された表示制御信号も基づきテキストデータを表示する。
【００７９】
テキストデータは、例えば、テキストデータとトラック番号ＴＮＯとが対応付けられて入力されていれば、その対応関係が分かるように、表示部１２２に表示される。また、テキストデータの入力時に、アルバムタイトルなどの他の情報も入力されていれば、そのデータも表示部１２２に所定に表示される。
【００８０】
ステップＳ２４では、ファイナライズ処理を行うかどうかが判断される。若し、ファイナライズ処理を行うと判断されれば、処理はステップＳ２５に移行する。ステップＳ２５では、マイクロコントローラ１２０により、現在ローディングインされているＣＤ−Ｒ１００のディスクＩＤと、不揮発性メモリ１２１に記憶されているディスクＩＤとが比較され、不揮発性メモリ１２１に記憶されているディスクＩＤのうち、現在ローディングインされているＣＤ−Ｒ１００のディスクＩＤと一致するディスクＩＤに対応したテキストデータが読み出され、サブコードにエンコードされ、ＴＯＣ情報としてＣＤ−Ｒ１００のリードイン領域に書き込まれる。
【００８１】
不揮発性メモリ１２１から読み出されたこのテキストデータは、ＴＯＣ情報としてＣＤ−Ｒ１００に書き込まれた後に不揮発性メモリ１２１から消去される。これはこの例に限らず、テキストデータをある程度の期間、不揮発性メモリ１２１に保持し、後に消去するようにしてもよい。また、不揮発性メモリ１２１からのテキストデータの消去を、ユーザの指示に基づき行っても良い。
【００８２】
一方、ステップＳ２４でファイナライズ処理をしないと判断されれば、処理はステップＳ２６に移行し、ＰＧＡにオーディオデータが記録される。ここでは、既に記録されたトラックに対して新たなオーディオデータが追記され、トラックが追加されることになる。そして、ステップＳ２７で、例えばステップＳ２６で記録されたオーディオデータを示す曲名情報が、入力部１２３によりテキストデータとして入力される。入力されたテキストデータは、次のステップＳ２８で、現在ローディングされているＣＤ−Ｒ１００を示すディスクＩＤと関連付けられて、不揮発性メモリ１２１に記憶される。
【００８３】
ステップＳ２９では、ファイナライズ処理を行うかどうかが判断される。若し、ファイナライズ処理を行うと判断されたら、処理は上述したステップＳ２４に移行し、不揮発性メモリ１２１に記憶されたテキストデータが読み出され、ＴＯＣ情報としてＣＤ−Ｒ１００のリードイン領域に書き込まれると共に、例えばこのテキストデータが不揮発性メモリ１２１から消去される。
【００８４】
一方、ステップＳ２９で、ファイナライズ処理を行わないと判断された場合には、処理はステップＳ３０に移行する。ステップＳ３０では、ＰＭＡに対して、ＡＤＲ＝１の、トラック番号ＴＮＯ、新たに記録されたトラックの開始時間および終了時間が書き込まれる。
【００８５】
なお、図６のフローチャートにおいて、ステップＳ２６の処理が終了しないうちにステップＳ２７およびＳ２８処理を行うことができる。また、ステップＳ２６と、ステップＳ２７およびＳ２８の処理とは、順番が図６と異なってもよい。すなわち、テキストデータを入力してからオーディオ信号の記録を行うようにもできる。さらに、当該ＣＤ−Ｒ１００に記録するオーディオ信号に関するテキスト情報を、予め全て入力することも可能である。
【００８６】
図７は、ファイナライズ処理されていないＣＤ−Ｒ１００がＣＤ−Ｒレコー１ダからアンローディングされている場合の一例の処理を示すフローチャートである。ステップＳ３０で、ファイナライズ処理されていないＣＤ−Ｒ１００がオーディオＣＤレコーダ１からローディングアウトされ、排出される。このＣＤ−Ｒ１００は、既にオーディオＣＤレコーダ１においてディスクＩＤがＰＭＡに書き込まれていると共に、オーディオ信号が記録されている。また、このＣＤ−Ｒ１００に記録されたオーディオ信号に対応するテキストデータが既に入力され、不揮発性メモリ１２１に記憶されている。
【００８７】
ステップＳ３１で、ユーザにより、オーディオＣＤレコーダ１に対して、入力部１２３から所望のディスクＩＤが入力される。入力されたディスクＩＤは、マイクロコントローラ１２０に供給される。次のステップＳ３２で、マイクロコントローラ１２０により、入力されたディスクＩＤと、不揮発性メモリ１２１に記憶されたディスクＩＤとが比較され、入力されたディスクＩＤと一致するディスクＩＤに対応するテキストデータが不揮発性メモリ１２１から読み出される。読み出されたテキストデータは、マイクロコントローラ１２０を介して表示部１２２に供給され、当該テキストデータが表示部１２２に表示される。
【００８８】
なお、この図７のフローチャートの処理によれば、オーディオＣＤレコーダ１からＣＤ−Ｒ１００がアンローディングされ排出されてからディスクＩＤを入力するように説明したが、これはこの例に限定されない。例えば、オーディオＣＤレコーダ１にあるＣＤ−Ｒ１００をローディング中あるいはローディングされたＣＤ−Ｒ１００に対してオーディオ信号を記録中でも、当該ＣＤ−Ｒ１００のディスクＩＤとは異なるディスクＩＤを入力することで、入力されたディスクＩＤに対応するテキストデータを表示させることができる。
【００８９】
上述では、不揮発性メモリ１２１に入力部１２３から入力されたテキストデータを記憶するように説明したが、これはこの例に限定されない。例えば、上述した仮ＴＯＣ情報を不揮発性メモリ１２１に記憶させることができる。仮ＴＯＣ情報をディスクＩＤと関連付けて不揮発性メモリ１２１に記憶させることで、その仮ＴＯＣ情報に対応したＣＤ−Ｒ１００がオーディオＣＤレコーダ１にローディングしなくても、例えば当該ＣＤ−Ｒ１００の残りの記録可能時間を知ることができる。
【００９０】
すなわち、ＣＤ−Ｒ１００がオーディオＣＤレコーダ１にローディングされていない状態で、所望のＣＤ−Ｒ１００のディスクＩＤを入力部１２３から入力することで、ディスクＩＤに対応した仮ＴＯＣ情報が不揮発性メモリ１２１から読み出される。読み出された仮ＴＯＣ情報に基づき対応するＣＤ−Ｒ１００に既に記録されているオーディオ信号の時間を求めることで、記録可能な残り時間を知ることができる。この残り時間情報を、表示部１２２に表示させる。
【図面の簡単な説明】
【００９１】
【図１】ＣＤ−Ｒにおける各領域のレイアウトを断面方向から示す略線図である。
【図２】この発明に適用可能なオーディオＣＤレコーダ１の一例の構成を示すブロック図である。
【図３】ＰＭＡのサブコードＱチャンネルの構成を示す略線図である。
【図４】ディスクＩＤが１２であるＣＤ−ＲにおけるサブコードＱチャンネルの一例のデータを示す略線図である。
【図５】実施の一形態による一例の処理を示すフローチャートである。
【図６】実施の一形態による一例の処理を示すフローチャートである。
【図７】実施の一形態による一例の処理を示すフローチャートである。
【符号の説明】
【００９２】
１  ＣＤ−Ｒレコーダ
１００  ＣＤ−Ｒディスク
１０１  光学ピックアップ部
１１２  ＣＤエンコーダ
１２０  マイクロコントローラ
１２１  不揮発性メモリ
１２１，１２２  表示部
１２３  入力部
【図１】
2005190662.tif 000003
【図２】
2005190662.tif 000004
【図３】
2005190662.tif 000005
【図４】
2005190662.tif 000006
【図５】
2005190662.tif 000007
【図６】
2005190662.tif 000008
【図７】
2005190662.tif 000009